(57)【要約】ＤＭＰ／ＤＭＣ（デュアル端末）１０は、コンテンツを再生するコンテンツ再生機能およびコンテンツサーバから任意の配信先へのコンテンツの配信および当該コンテンツの再生を制御するコンテンツコントローラ機能を兼ね備える。その操作部からコンテンツの選択を受けるとともに、ＤＭＳ（コンテンツサーバ）２０から当該コンテンツを配信する配信先の指定を受け、この指定された配信先が自身かコンテンツ再生機能を備えた装置かに応じて、自身の表示部に対するＧＵＩ設定を切り替える。これにより、端末においてその操作性を向上させる。
2008117586.tif 000002
【特許請求の範囲】
【請求項１】
複数のコンテンツを蓄積し、指定されたコンテンツを指定された装置へ配信するコンテンツ配信機能を備えたコンテンツサーバと、前記コンテンツ配信機能による任意の配信先への配信および当該コンテンツの再生を制御するコンテンツコントローラ機能ならびに前記コンテンツサーバから配信されるコンテンツを前記コンテンツコントローラ機能の制御に基づいて再生するコンテンツ再生機能を備えたコンテンツ再生・制御装置と、前記コンテンツ再生機能を備えたコンテンツ再生装置とがそれぞれ通信ネットワークで相互に接続されたコンテンツ再生システムであって、
前記コンテンツ再生・制御装置は、
コンテンツを表示する表示部と、
ユーザによる指示操作を受け付ける操作部と、
前記通信ネットワークに接続するための通信部と、
各部を制御する制御部とを備え、
前記制御部は、前記コンテンツコントローラ機能として、前記操作部から、コンテンツの選択を受けるとともに当該コンテンツの配信先の指定を受け、この指定された配信先が自装置か前記コンテンツ再生機能を備えた装置かに応じて、前記表示部に対するＧＵＩ設定を切り替える
ことを特徴とするコンテンツ再生システム。
【請求項２】
前記制御部は、前記コンテンツコントローラ機能として、コンテンツの再生中にも配信先の変更を受け付け、その配信先の切替が自装置と他のコンテンツ再生装置との間の切替である場合に、ＧＵＩ設定を変更することを特徴とする請求項１記載のコンテンツ再生システム。
【請求項３】
複数のコンテンツを蓄積し、指定されたコンテンツを指定された装置へ配信するコンテンツ配信機能を備えたコンテンツサーバと、前記コンテンツ配信機能による任意の配信先への配信および当該コンテンツの再生を制御するコンテンツコントローラ機能ならびに前記コンテンツサーバから配信されるコンテンツを前記コンテンツコントローラ機能の制御に基づいて再生するコンテンツ再生機能を備えたコンテンツ再生・制御装置と、前記コンテンツ再生機能を備えたコンテンツ再生装置とがそれぞれ通信ネットワークで相互に接続されたコンテンツ再生システムにおけるコンテンツ再生・制御装置であって、
コンテンツを表示する表示部と、
ユーザによる指示操作を受け付ける操作部と、
前記通信ネットワークに接続するための通信部と、
各部を制御する制御部とを備え、
前記制御部は、前記コンテンツコントローラ機能として、前記操作部から、コンテンツの選択を受けるとともに、当該コンテンツの配信先の指定を受け、この指定された配信先が自装置か前記コンテンツ再生機能を備えた装置かに応じて、前記表示部に対するＧＵＩ設定を切り替える
ことを特徴とするコンテンツ再生・制御装置。
【請求項４】
前記制御部は、前記コンテンツコントローラ機能として、コンテンツの再生中にも配信先の変更を受け付け、その配信先の切替が自装置と他のコンテンツ再生装置との間の切替である場合に、ＧＵＩ設定を変更することを特徴とする請求項３記載のコンテンツ再生・制御装置。
【請求項５】
コンテンツリストを一覧表示するリスト表示領域と、コンテンツリストに表示される対象となるコンテンツの種類を指定するためのメニュー項目およびコンテンツの配信先を指定するためのメニュー項目を含むメニュー領域とを有する第１の画面と、少なくとも再生されたコンテンツを表示するコンテンツ表示領域を有する第２の画面と、少なくともコンテンツの再生に関連した操作要素を表示する操作表示領域を有する第３の画面とを選択的に生成する手段を備え、
前記制御部は、前記コンテンツコントローラ機能として、
前記第１の画面において選択されたコンテンツの再生が指示されたとき、配信先として自装置が指定されていれば、前記表示部を前記第１の画面から第２の画面に切り替え、配信先として他のコンテンツ再生装置が指定されていれば、前記表示部を前記第１の画面から第３の画面に切り替えることを特徴とする請求項３または４記載のコンテンツ再生・制御装置。
【請求項６】
前記第３の画面はコンテンツリストを表示するリスト表示領域を含み、再生中のコンテンツ項目に、当該コンテンツが再生中である旨を表示する請求項５記載のコンテンツ再生・制御装置。
【請求項７】
前記第２および第３の画面の少なくとも一方はコンテンツの配信先を切り替えるメニュー項目を含む請求項５または６記載のコンテンツ再生・制御装置。
【請求項８】
ＤＬＮＡ規格のＤＭＰとＤＭＣの双方の機能を備えたコンテンツ再生・制御装置であって、
所定の条件に応じて何れの機能を選択すべきかを判定し、
選択された機能に応じて予め用意されたＧＵＩ画面を選択的に提供するとともにその画面遷移を制御することを特徴とするコンテンツ再生・制御装置。
【請求項９】
通信ネットワークに接続されている少なくとも一つのサーバからコンテンツのリスト情報を収集する機能と、
収集したリスト情報の一覧を表示部に表示させる機能と、
前記一覧からコンテンツの指定を受ける機能と、
指定されたコンテンツの配信先の指定を受ける機能と、
指定された配信先が自装置かコンテンツ再生機能を備えた装置かに応じて、前記表示部に対するＧＵＩ設定を切り替える機能と
をコンテンツ再生・制御装置に実行させることを特徴とするコンピュータプログラム。
【請求項１０】
通信ネットワークに接続されている少なくとも一つのサーバからコンテンツのリスト情報を収集する機能と、
収集したリスト情報の一覧を表示部に表示させる機能と、
前記一覧からコンテンツの指定を受ける機能と、
指定されたコンテンツの配信先の指定を受ける機能と、
指定された配信先が自装置かコンテンツ再生機能を備えた装置かに応じて、前記表示部に対するＧＵＩ設定を切り替える機能と
をコンテンツ再生・制御装置に実行させることを特徴とするコンピュータプログラムを読み取り可能に記録した記録媒体。
【発明の詳細な説明】
【技術分野】
【０００１】
本発明は、ホームネットワークにおける複数の装置間でのコンテンツ再生のためのシステムおよびそのためのコンテンツ再生・制御装置でのグラフィックユーザインタフェース（ＧＵＩ）に関する。
【背景技術】
【０００２】
近年、家庭内において、パーソナルコンピュータ（ＰＣ）とデジタル家電の間、あるいはデジタル家電同士の間でコマンドやデータを授受するためのホームネットワークが提案されている。既に、オーディオ・ビジュアル（ＡＶ）関連のデジタル家電（テレビ受像機、ＰＣ、オーディオシステム、ＨＤＤレコーダ、等）については、ＤＬＮＡ(Digital Living Network Alliance)やＢｌｕｅｔｏｏｔｈ（登録商標）等の技術により、相互の連係動作を行うことが可能となっている。例えば、音楽、写真、動画等のデジタルコンテンツを、家電、ＰＣ、モバイル機器間でシームレスに共有することができる。具体的には、ＰＣ内に蓄積された楽曲をオーディオシステムで再生して聴取する、ＰＣ内に蓄積された動画を大画面テレビ受像機で楽しむ、ＨＤＤレコーダの映像コンテンツを別の部屋のＰＣで再生する、等の動作を行うことが可能である。ＤＬＮＡ規格では、ＤＭＰ（Digital Media Player），ＤＭＳ（Digital Media Server），ＤＭＣ（Digital Media Controller），ＤＭＲ（Digital Media Renderer）等の複数の機能部が定義されそれらの仕様が決められている。【０００３】
また一般に、ユーザが操作を行う装置においては、ユーザの操作性を向上させるユーザインタフェースとして、操作のための提示情報、選択対象項目情報、操作メニュー、指示ボタン等を画面上に好適に配置したＧＵＩ(Graphic User Interface)画面を用いることが知られている。ＧＵＩ画面に対応して、対応する入力デバイスの入力仕様が定められる。通常、ＧＵＩ画面は使用するアプリケーション毎に異なっている。ＧＵＩ画面の切替に関しては、特許文献１に、リモートコマンダやタッチパネルを備えた車載装置において、入力方法に適したＧＵＩ画面を用意しておき、ユーザの所定の操作によりＧＵＩ画面を切り替える技術が提案されている。
【特許文献１】特開２００５−９８８３１号公報
【発明の開示】
【発明が解決しようとする課題】
【０００４】
ところで、最近の携帯電話端末装置（以下、端末装置を単に端末という）の多機能化、高機能化は目覚ましく、テキスト、音声、画像、動画、等のマルチメディアを難なく扱えるようになってきている。また、携帯電話端末の無線通信手段も携帯電話通信のみならず、無線ＬＡＮやＢｌｕｅｔｏｏｔｈ（登録商標）などの通信機能を備えるものも出現している。このような背景から、携帯電話端末のような携帯端末がＤＬＮＡ対応装置となることが予想される。そのような携帯端末は、自分自身でコンテンツを再生するプレーヤ（ＤＭＰ）として機能することができるとともに、コントローラ（ＤＭＣ）として機能することも可能となると考えられる。また、ＤＭＰとＤＭＣの兼備は携帯端末に限らず、可能である。【０００５】
従来のプレーヤ（ＤＭＰ）とコントローラ（ＤＭＣ）とは、それぞれに個別にＧＵＩが用意され、その画面遷移も異なっている。具体的に、動画コンテンツについては次のような相違点がある。【０００６】
ＤＭＰでは、ＤＭＳが公開する動画コンテンツを一覧表示する一覧画面が表示され、その一覧画面において、ユーザが再生したい動画コンテンツを選択し、再生開始を指示すると、画面は「一覧画面」から動画コンテンツを再生する再生画面に切り替わる。【０００７】
一方、ＤＭＣでは、ユーザが「一覧画面」で再生したい動画コンテンツを選択するところまでは同じであるが、ＤＭＣは動画再生をＤＭＲ（再生装置）に委ねているのでＤＭＣの画面は「再生画面」に切り替わる必要がなく、代わりにＤＭＲでの再生を制御するためのコントロール画面が表示されるのが通常である。【０００８】
そこで、上述のようなＤＭＰとＤＭＣの両方の機能を一つの端末に兼備したもの（以下、デュアル端末と呼ぶ）について推測すると、ＤＭＰとＤＭＣとではＧＵＩ画面やその遷移が異なるので、別々のアプリケーションを開発してデュアル端末に組み込み、ユーザに対しては別々のアプリケーションを起動するための起動アイコンやメニューを用意し、これを選択させて、ＤＭＰまたはＤＭＣのいずれかに適したＧＵＩ画面やその遷移を提供するようにすることが考えられる。この場合、ユーザは、現在操作しているデュアル端末自身の画面に動画コンテンツを出力したいときにはＤＭＰアプリケーションを選択し、デュアル端末以外のＤＭＲに動画コンテンツを出力したいときはＤＭＣアプリケーションを選択することになる。また、一度一方のアプリケーションを起動してしまうと、動画コンテンツの配信先をその再生中に切替えるためには、他方のアプリケーションを起動し直す必要が生じる。このようなアプリケーションの切替えはユーザにとっては煩雑である。【０００９】
さらに、一般の家庭におけるユーザにとっては、ＤＭＰやＤＭＣの概念を認識して、両者を切り替えることは、容易ではないと考えられる。【００１０】
本発明は、このような背景においてなされたものであり、コンテンツサーバから配信されるコンテンツを再生するコンテンツ再生機能と、コンテンツサーバから任意の配信先へのコンテンツの配信および当該コンテンツの再生を制御するコンテンツコントローラ機能とを兼ね備えた端末においてその操作性を向上させることを目的とする。
【課題を解決するための手段】
【００１１】
本発明によるコンテンツ再生システムは、複数のコンテンツを蓄積し、指定されたコンテンツを指定された装置へ配信するコンテンツ配信機能を備えたコンテンツサーバと、前記コンテンツ配信機能による任意の配信先への配信および当該コンテンツの再生を制御するコンテンツコントローラ機能ならびに前記コンテンツサーバから配信されるコンテンツを前記コンテンツコントローラ機能の制御に基づいて再生するコンテンツ再生機能を備えたコンテンツ再生・制御装置と、前記コンテンツ再生機能を備えたコンテンツ再生装置とがそれぞれ通信ネットワークで相互に接続されたコンテンツ再生システムであって、前記コンテンツ再生・制御装置は、コンテンツを表示する表示部と、ユーザによる指示操作を受け付ける操作部と、前記通信ネットワークに接続するための通信部と、各部を制御する制御部とを備える。前記制御部は、前記コンテンツコントローラ機能として、前記操作部から、コンテンツの選択を受けるとともに、当該コンテンツの配信先の指定を受け、この指定された配信先が自装置か前記コンテンツ再生機能を備えた装置かに応じて、前記表示部に対するＧＵＩ設定を切り替える。【００１２】
前記制御部は、前記コンテンツコントローラ機能として、コンテンツの再生中にも配信先の変更を受け付け、その配信先の切替が自装置と他のコンテンツ再生装置との間の切替である場合に、ＧＵＩ設定を変更することも可能である。【００１３】
本発明は、上記システムにおけるコンテンツ再生・制御装置としても把握することができる。【００１４】
このコンテンツ再生・制御装置において、例えば、コンテンツリストを一覧表示するリスト表示領域と、コンテンツリストに表示される対象となるコンテンツの種類を指定するためのメニュー項目およびコンテンツの配信先を指定するためのメニュー項目を含むメニュー領域とを有する第１の画面と、少なくとも再生されたコンテンツを表示するコンテンツ表示領域を有する第２の画面と、少なくともコンテンツの再生に関連した操作要素を表示する操作表示領域を有する第３の画面とを選択的に生成する手段を備えることができる。この場合、前記制御部は、前記コンテンツコントローラ機能として、前記第１の画面において選択されたコンテンツの再生が指示されたとき、配信先として自装置が指定されていれば、前記表示部を前記第１の画面から第２の画面に切り替え、配信先として他のコンテンツ再生装置が指定されていれば、前記表示部を前記第１の画面から第３の画面に切り替える。【００１５】
前記第３の画面はコンテンツリストを表示するリスト表示領域を含み、再生中のコンテンツ項目に、当該コンテンツが再生中である旨を表示するようにしてもよい。【００１６】
前記第２および第３の画面の少なくとも一方はコンテンツの配信先を切り替えるメニュー項目を含んでもよい。【００１７】
本発明によるコンテンツ再生・制御装置は、ＤＬＮＡ規格のＤＭＰとＤＭＣの双方の機能を備えたコンテンツ再生・制御装置であって、所定の条件に応じて何れの機能を選択すべきかを判定し、選択された機能に応じて予め用意されたＧＵＩ画面を選択的に提供するとともにその画面遷移を制御することを特徴とする。【００１８】
さらに、本発明によるコンピュータプログラムは、通信ネットワークに接続されている少なくとも一つのサーバからコンテンツのリスト情報を収集する機能と、収集したリスト情報の一覧を表示部に表示させる機能と、前記一覧からコンテンツの指定を受ける機能と、指定されたコンテンツの配信先の指定を受ける機能と、指定された配信先が自装置かコンテンツ再生機能を備えた装置かに応じて、前記表示部に対するＧＵＩ設定を切り替える機能とをコンテンツ再生・制御装置に実行させることを特徴とする。本発明はコンピュータプログラムを読み取り可能に記録した記録媒体としても把握することができる。ここに、記録媒体とはＲＯＭ、フラッシュメモリ等の半導体記録媒体、フレキシブルディスク（ＦＤ）、ハードディスク（ＨＤ）、デジタルバーサタイルディスク（ＤＶＤ）等のディスク状記録媒体、その他データを不揮発的に記録できる任意の媒体を含む。
【発明の効果】
【００１９】
本発明によれば、コンテンツの配信先の選択操作に応じて自動的にいずれの機能かを判断するので、ユーザがコンテンツ再生機能かコンテンツコントローラ機能かを意識することなく、両機能の選択を適正に行うことができる。その結果、両機能を兼ね備えた端末においてその操作性を向上させることが可能となる。
【図面の簡単な説明】
【００２０】
【図１】本実施の形態におけるホームネットワークシステムの概略の構成を示す図である。
【図２】図１内に示したＤＭＰ／ＤＭＣ（デュアル端末）のハードウェア構成例を示す図である。
【図３】図１内に示したＤＭＳのハードウェア構成例を示す図である。
【図４】図１内に示したＤＭＲの一例としてのモニタ装置の構成例を示す図である。
【図５】図１（ａ）に示したような比較的大きいサイズの表示画面を有するデュアル端末のＧＵＩ画面およびその遷移例を示す図である。
【図６】図５に示したデュアル端末においてＤＭＰとしてコンテンツの再生を開始した後、配信先を切り替えた場合の画面遷移を示す図である。
【図７】図１（ｂ）に示したような比較的小さいサイズの表示画面を有するデュアル端末のＧＵＩ画面およびその遷移例を示す図である。
【図８】図７のデュアル端末においてコンテンツの再生中に配信先の切替時のＧＵＩ画面の遷移例を示す図である。
【図９】本発明の実施の形態におけるＤＭＰ／ＤＭＣの制御部が実行する処理例のフローチャートである。
【符号の説明】
【００２１】
１０…デュアル端末、２５…通信ネットワーク、５０ａ，５０ｂ，５０ｃ，５０ｄ…画面、５１…メニュー領域、５２…リスト領域、５３…バー表示領域、５４…コンテンツ再生領域、５５…操作領域、５７…操作領域、５９…再生中表示、７０ａ，７０ｂ，７０ｃ，７０ｄ…画面、７２…リスト領域、７３…コンテンツ再生領域、７４…操作ガイド部、７５…操作部、７６…操作領域、７７…ポップアップメニュー、７８…サブメニュー、７９…操作領域、１０１…中央制御部、１０２ａ…各種プログラム、１０４…フラッシュメモリ、１０５…アンテナ、１０６…電話通信部、１０７…ディスプレイドライバ、１０９…音声処理部、１１１…マイク、１１２…スピーカ、１１３…操作部、１１４…アンテナ、１１５…近距離無線通信部、２０１…中央制御部、２０６…ネットワークインタフェース、２０８…外部記憶装置、２１１…録画再生部、２２０…バス、３０１…中央制御部、３０４…画像処理部、３０５…表示部、３０６…ネットワークインタフェース、３０７…音声処理部、３０８…スピーカ、３０８…フラッシュメモリ、３２０…バス、５１１，５１２，５１３，５１４，５１５…メニュー項目、５２０…コンテンツ項目、５２１…アイコン、５２２…コンテンツタイトル、５５１…メニュー項目、５５３…終了ボタン、５７１…操作ボタン群、５７２…メニュー項目、７２２…各コンテンツ項目、７５１，７５２，７５３…キー
【発明を実施するための最良の形態】
【００２２】
以下、本発明の好適な実施の形態について、図面を参照しながら説明する。【００２３】
図１は、本発明のコンテンツ再生システムの一実施の形態としての、ＤＬＮＡ規格によるホームネットワークシステムの概略の構成を二例示している。いずれのシステムも、本発明のコンテンツ配信機能による任意の配信先への配信および当該コンテンツの再生を制御するコンテンツコントローラ機能ならびに前記コンテンツサーバから配信されるコンテンツを前記コンテンツコントローラ機能の制御に基づいて再生するコンテンツ再生機能を備えたコンテンツ再生・制御装置としてのＤＭＰ／ＤＭＣ（デュアル端末）１０、指定されたコンテンツを指定された装置へ配信するコンテンツ配信機能を備えたコンテンツサーバとしてのＤＭＳ２０、コンテンツ再生機能を備えたコンテンツ再生装置としてのＤＭＲ３０が通信ネットワーク２５を介して相互に接続されたものである。図１（ａ）のデュアル端末１０は、ＰＣ等の固定端末であり、図１（ｂ）のデュアル端末１０は携帯電話端末などの携帯端末である。両者は主として非携帯型か携帯型かの違いにより表示画面サイズや入力デバイスが異なっているため、後述するように、ＧＵＩ画面にもその影響が現れる。通信ネットワーク２５は有線、無線を問わず、両者が混在していてもよい。【００２４】
ＤＬＮＡ規格の各機能部は次の通りである。
（１）ＤＭＳ：通信ネットワーク上で共有するための動画コンテンツを管理し、公開するサーバである。ＰＣ、セットトップボックス、デジタルカメラ、ビデオカメラ、等がＤＭＳとなり得る。
（２）ＤＭＰ: ＤＭＳが公開する動画コンテンツを再生するためのプレーヤである。テレビ受像機、デジタル音楽プレーヤ、ステレオセット、等がＤＭＰとなりうる。
（３）ＤＭＣ: コンテンツの再生開始、停止、早送りなどの制御を司るコントローラである。
（４）ＤＭＲ: ＤＭＣの制御に従ってコンテンツを専ら再生するレンダラである。ＤＭＲは、コンテンツの選択や再生操作のためのユーザインタフェースは持たない。映像モニタ、スピーカ等がＤＭＲとなりうる。【００２５】
ＤＭＰはＤＭＣとＤＭＲの機能を兼ね備えたものと言える。個々のＤＬＮＡ対応装置としては、これらの１または２以上の機能を備えることができる。すなわち、ＤＭＳ，ＤＭＰ，ＤＭＣ，ＤＭＲ等は、それぞれＤＬＮＡ規格における機能部（役割）を示すものであり、必ずしも独立した装置である必要はない。例えば、一つの装置がＤＭＳとＤＭＣを備えていたり、ＤＭＳとＤＭＰを備えていたり、ＤＭＳとＤＭＲを備えたりしてもよい。【００２６】
図２は、ＤＭＰ／ＤＭＣ（デュアル端末）１０のハードウェア構成例を示している。ここでは、携帯電話端末の例を示す。【００２７】
ＤＭＰ／ＤＭＣ１０の制御は、中央制御部（例えばＣＰＵ）１０１のプログラム制御により実現される。ＲＯＭ１０２は、そのための制御プログラムや初期装備されたアプリケーションプログラム等の各種プログラム１０２ａ、および固定的なデータを格納する通常読み出し専用のメモリである。ＲＡＭ１０３は、データの一時的な保存領域や作業領域を提供する読み書き可能なメモリである。フラッシュメモリ１０４は、各種のデータを不揮発的に記憶する再書き込み可能なメモリである。プログラムはＲＯＭ１０２の他、フラッシュメモリ１０４に格納してもよい。本実施の形態におけるデュアル端末におけるＤＭＰ／ＤＭＣ用のアプリケーションプログラムはプレインストールされていてもよいし、事後的にダウンロードされるものであってもよい。このアプリケーションプログラムには、ＧＵＩ画面を構成するデータ群や、その表示制御プログラム、入力制御プログラム、通信制御プログラム、等を含む。【００２８】
電話通信部１０６は、本発明において必須ではないが、アンテナ１０５を介して基地局と無線による音声およびデータの通信を行う部位である。ディスプレイドライバ１０７は、中央制御部１０１により制御され、各種の情報の描画処理を行い、表示部であるディスプレイ（表示デバイス）１０８の表示画面上に表示を行う。音声処理部１０９は、マイク１１１およびスピーカ１１２に接続され、中央制御部１０１の制御下で音声処理を行う。操作部１１３は、入力インタフェースを司る部位であり、テンキー等の各種キーおよびカーソル移動操作キー等を含むキーボード、マウス、リモートコントローラ、タッチパネル、等を含みうる。近距離無線通信部１１５は、通信ネットワーク２５と接続するための部位であり、アンテナ１１４に接続され、中央制御部１０１の制御下で近距離での無線通信を行う。例えば無線ＬＡＮやＢｌｕｅｔｏｏｔｈ（商標）等の無線アダプタである。ＲＴＣ１１６は時計や、カレンダー、タイマー等の機能を提供するリアルタイムクロックである。【００２９】
図３は、ＤＭＳ２０のハードウェア構成例を示している。ＤＭＳ２０の制御は、中央制御部（例えばＣＰＵ）２０１のプログラム制御により実現される。中央制御部２０１はバス２２０を介して各部と接続される。ＲＯＭ２０２は、ＤＭＳ２０を立ち上げるための起動プログラムや必要な固定的なデータを格納する通常読み出し専用のメモリである。ＲＡＭ２０３は、データの一時的な保存領域や作業領域を提供する読み書き可能なメモリである。ＲＴＣ２０５は、時計やカレンダー、タイマー等の機能を提供するリアルタイムクロックである。通信ネットワークインタフェース２０６は、通信ネットワーク２５に接続され通信機能を提供する部位である。外部記憶装置２０８は、プログラムやコンテンツデータを不揮発的に格納する大容量の記憶装置であり、典型的にはハードディスク装置（ＨＤＤ）であるが、ＤＶＤなどの他の記憶装置を含んでもよい。録画再生部２１１は、外部記憶装置２０８内のコンテンツを再生したり、外部から与えられたコンテンツを外部記憶装置２０８に記録したりする部位である。さらに、図示しないが、赤外線リモコン等からの操作を受け付ける手段を備えてもよい。【００３０】
図４は、ＤＭＲ３０の一例としてのモニタ装置の構成例を示すブロック図である。このＤＭＲ３０は、中央制御部（ＣＰＵ）３０１のプログラム制御により実現される。中央制御部３０１はバス３２０を介して各部と接続される。ＲＯＭ３０２は、そのための制御プログラムや初期装備されたアプリケーションプログラム、および固定的なデータを格納する通常読み出し専用のメモリである。ＲＡＭ３０３は、データの一時的な保存領域や作業領域を提供する読み書き可能なメモリである。画像処理部３０４は、ネットワークインタフェース３０６を介して通信ネットワーク２５から受信したコンテンツの画像処理を行い、表示部３０５にそのコンテンツを表示させる機能を有する。表示部３０５は、液晶表示装置、ＣＲＴ表示装置、プラズマ表示装置等の任意の表示装置であって、画像処理部３０４からの信号に基づいて画面イメージを光学的に表示する機能を有する。ネットワークインタフェース３０６は、通信ネットワーク２５との接続を確立し、データの送受信を行う機能を有する。音声処理部３０７は、スピーカ３０８に接続され、中央制御部３０１の制御下で音声処理を行う。その他、図示しないが、音声処理部３０７に接続されるマイクを備えてもよい。さらには、図示しないが、テレビ放送を受信する放送受信装置およびＩＲ受光部を設け、赤外線リモコンからの放送受信装置の操作を受け付けるようにしてもよい。【００３１】
以上のようなシステム構成において、以下、本実施の形態の動作について説明する。【００３２】
本実施の形態では、デュアル端末において、ＤＭＣとＤＭＰとの機能をユーザが意識する必要なく、ユーザの操作内容に応じて端末がいずれの機能として動作すべきかを自動的に判断し、その判断結果に応じてＤＭＣとＤＭＰのそれぞれに適したＧＵＩ設定を行う。ＧＵＩ設定により、どのような操作に対して、どのようなＧＵＩ画面を用い、それらをどのように切り替えるか、が決定される。ＧＵＩ設定には、ＧＵＩ画面表示だけでなく、その画面に対応した操作部での入力インタフェースの設定が含まれる。【００３３】
より具体的には、ＤＭＣとＤＭＰとの機能を一つのアプリケーションに統合するとともに、ＤＭＳからのコンテンツの配信先（出力先）をユーザに選択させる手段を設け、その選択結果に応じて自分自身をＤＭＰまたはＤＭＣのいずれで機能させるべきかを判定し、この判定結果に応じて当該機能に適したＧＵＩ設定を行う。コンテンツの配信先がデュアル端末自身（自装置）かそれ以外の装置（例えばＤＭＲ）かの選択は、実際上、デュアル端末がＤＭＰとＤＭＣのいずれで動作するかに対応している。すなわち、デュアル端末自身を配信先とするということはＤＭＰとして動作するということを意味し、デュアル端末以外の装置を配信先とするということはデュアル端末がＤＭＣとして動作するということを意味する。そこで、本発明者は、ユーザが両機能を意識することなく、必要な操作を行ったときに自動的にＤＭＣかＤＭＰかをデュアル端末自身が判断する、という構成に想到した。これは、初期的なメニューでＤＭＣかＤＭＰかをユーザに選択させてその結果に応じていずれかのアプリケーションを選択的に起動するというような実装とは異なり、アプリケーションの終了・再起動を行う必要もなくなる。【００３４】
本実施の形態においてＤＭＰとＤＭＣのＧＵＩ設定を切替える条件は例えば次のようなものが考えられる。
（１）ＤＭＳのコンテンツの配信先（デュアル端末自身か他の装置か）の変更に応じてＧＵＩ設定を切り替える。この配信先の変更はコンテンツの再生を開始した後（再生中）であってもよい。
（２）配信先をＤＭＲとしているときにＤＭＲでのコンテンツ再生が行えない事情が発生したとき自動的にＤＭＣからＤＭＰに切り替える。例えば、ＤＭＲがダウン（例えば電源オフ）したこと、ＤＭＲのＬＡＮ接続が切断されたこと、等である。これは配信先の変更を必要とする事態であり、このような場合も広義には「配信先の変更」に相当する。ＤＭＲのダウン（例えば電源オフ）はＤＭＲのＬＡＮ接続が切断されたことと等価であるので、ＤＭＲのＬＡＮ接続が切断されたことを検出すれば足りる。その検出方法としては、ＤＭＲの通信ネットワーク接続状況をチェックする手段をＤＭＣに設けることにより行える。具体的には、例えば、ＤＭＣが通信ネットワーク経由でＤＭＲとの接続を定期的にチェックする、あるいは、他の装置がチェックした結果を取得する、等により行える。そのためには、ＤＭＰ／ＤＭＣ１０のＲＯＭ１０２またはフラッシュメモリ１０４にこの手段を実行するためのプログラムを記憶しておき、中央制御部１０１が当該プログラムを実行する。【００３５】
ＤＭＣは、実行中の他のアプリケーションのバックグラウンドでコントローラの機能を維持するようにしてもよい。例えば、デュアル端末がテレビ放送受信機能を有する場合、コントローラの機能を能動化した状態のままテレビ放送の受信再生を行うことを許容し、必要に応じてユーザの操作によりデュアル端末を直ちにコントローラとして利用することができる。その他、デュアル端末において画面が、ユーザが起動したいアプリケーションを選択するためのメニュー（例えばランチャーメニュー）に切り替わった場合も同様である。【００３６】
図５は、図１（ａ）に示したような比較的大きいサイズの表示画面を有するデュアル端末のＧＵＩ画面およびその遷移例を示している。図では４つの画面５０ａ〜５０ｄを示している。【００３７】
画面５０ａ（第１の画面）は、ＤＭＰとして再生対象のコンテンツの一覧を表示した画面である。この画面の左側のメニュー領域５１にはユーザが選択できるメニュー項目が縦に並んでいる。メニュー領域５１の右側のリスト領域５２にはコンテンツを一覧するためのコンテンツリストが表示されている。画面５０ａの右端には、コンテンツリストにおける全コンテンツに対する、表示されているコンテンツ群の割合および位置を示すバー表示領域５３が配置されている。【００３８】
より具体的には、メニュー領域５１には、動画、静止画、音楽等のコンテンツのカテゴリ（すなわち種類）を選択するメニュー項目５１１、表示されるコンテンツリストに対して所望のソート形式でソートを行うためのメニュー項目５１２、コンテンツの配信先を指定（選択）するためのメニュー項目５１３、ホームネットワークに接続されているサーバを選択するためのメニュー項目５１４、各種の設定を行うためのメニュー項目５１５が配置されている。【００３９】
リスト領域５２には、指定されたサーバの指定されたコンテンツを指定されたソート形式でソートしたコンテンツリストが表示される。コンテンツリスト中の各コンテンツ項目５２０は、そのコンテンツを表すアイコン５２１およびコンテンツタイトル５２２を含んでいる。アイコン５２１は動画であればその先頭フレームのサムネイル画像、静止画であればそのサムネイル画像、音楽コンテンツであればそのジャケットのサムネイル画像等を表示することができる。図の例ではコンテンツタイトル５２２に併せてその取得日時（または生成日時）も表示している。【００４０】
ユーザは、画面５０ａにおいて、与えられた操作部により希望するコンテンツ項目を選択して、再生指示を行うことができる。操作部としては、ＰＣの場合には、マウスまたはキーボードが利用できる。その他の操作部としては、装置によって、リモコン、タッチパネル等の操作部を用いることができる。選択されたコンテンツ項目は反転表示、ハイライト表示等により強調して表示される。【００４１】
画面５０ａで、ユーザにより、選択されたコンテンツの再生が指示されたとき、デュアル端末は、現在の配信先が自装置を示す「Ｌｏｃａｌ」となっているので、ＤＭＰとして自装置のプレーヤを起動する。このとき、デュアル端末の画面は図５の右上の画面５０ｂに示すように変わる。また、デュアル端末は、通信ネットワークを介して、自装置を配信先として、指定されたサーバ（ＤＭＳ）に当該コンテンツを配信するように指示する。【００４２】
画面５０ｂ（第２の画面）は、そのほぼ全領域に広がったコンテンツ再生画面を表示するコンテンツ再生領域５４と、この例では画面下辺に設けた操作領域５５とを有する。操作領域５５には、配信先を指定するためのメニュー項目５５１、停止、一時停止、早送り、巻き戻し、等の再生関連の操作を行う操作ボタン群（操作要素）５５２、コンテンツの再生を終了する終了ボタン５５３等が配置されている。この例における停止ボタンは、再生停止中は再生ボタンに切り替わることを想定している。この代わりに、再生ボタンと停止ボタンの両方が常時表示される形態であってもよい。終了ボタン５５３が指示されると、画面５０ａに戻る。【００４３】
図５の左下の画面５０ｃは、画面５０ａにおいて、配信先が「Ｌｏｃａｌ」からＤＭＲとしての「ＴＶ（Ｌｉｖｉｎｇ）」に切り替えられた様子を示している。（この画面５０ｃも第１の画面である。）配信先の選択肢としてＤＭＲは１つのみ示したが、複数存在する場合もありうる。画面５０ａと同じコンテンツが選択されていても、この状態で再生指示が行われると、デュアル端末は、通信ネットワークを介して、ＴＶ（Ｌｉｖｉｎｇ）を配信先として、指定されたサーバ（ＤＭＳ）に当該コンテンツを配信するように指示する。また、デュアル端末の機能はＤＭＰからＤＭＣに切り替わり、ＤＭＰの画面５０ｂは、図５の右下の画面５０ｄ（第３の画面）に示すようにＤＭＣとしての画面へ変化する。【００４４】
画面５０ｄでは、画面５０ｃのメニュー領域５１の代わりに、操作領域５７が配置される。操作領域５７には、再生関連の操作を行う操作ボタン群５７１、および配信先を指定するためのメニュー項目５７２が配置される。ＤＭＣの画面５０ｄでは、デュアル端末自身の表示画面をコンテンツ再生表示に用いないので、コンテンツリストを表示するリスト領域５２はそのまま残されている。但し、再生中のコンテンツについてはそのコンテンツ項目５２０内に再生中を表す再生中表示５９を付加している。また、現在選択されているコンテンツ項目の表示態様もＤＭＰとは異ならせてある。なお、操作ボタン群５５２、５７１は、これらに相当する操作ボタン等が当該装置にリモコン等の別途の操作部において用意されていれば、画面５０ｂ、５０ｄに含める必要はない。【００４５】
図６は、図５に示したデュアル端末の画面５０ａにおいてＤＭＰとしてコンテンツの再生を開始した後、画面５０ｂに示すようなコンテンツの再生中に配信先をメニュー項目５５１で「Ｌｏｃａｌ」から「ＴＶ（Ｌｉｖｉｎｇ）」に切り替えた場合の画面遷移を示している。本実施の形態では、このようにＤＭＰとしてコンテンツの再生中も配信先を切り替えることを許容する。このとき、ＤＭＰのプレーヤ起動中の画面５０ｂからＤＭＣの画面５０ｄへ移行する。再生中のコンテンツは、そのまま、デュアル端末自身からＤＭＲへ配信先が変更される。【００４６】
図７は、図１（ｂ）に示したような比較的小さいサイズの表示画面を有するデュアル端末のＧＵＩ画面およびその遷移例を示している。ここではデュアル端末として携帯電話端末を用いる例を挙げ、図では４つの画面７０ａ〜７０ｄを示している。【００４７】
画面７０ａ（第１の画面）は、ＤＭＰとして再生対象のコンテンツの一覧を表示した画面である。この画面の主要なリスト領域７２にはコンテンツを一覧するためのコンテンツリストが表示されている。この領域の上部には現在選択されているコンテンツのカテゴリを示す複数のタグ７２１の表示が行われている。図ではカテゴリ「ＭＯＶＩＥ」が選択された状態を示している。リスト領域７２の下部には操作ガイド部７４が表示されている。画面７０ａの下側にはハードウェアとしての操作部７５が配置されている。操作部７５は、上下左右方向の指示を行う方向キーおよび決定キーを複合したキー７５３と、その左右にそれぞれ３個ずつ配置されたキー７５１，７５２等が配置されている。図の例ではキー７５１，７５２が操作ガイド部７４に示されたソフトキーに対応づけられている。【００４８】
画面７０ａにおいて、各コンテンツ項目７２２の表示内容は特に図示していないが、上記の場合と同様、そのコンテンツを表すアイコンやコンテンツタイトル等を含み得る。【００４９】
操作ガイド部７４に示された「Ｍｅｎｕ」をユーザが指示すると、画面７０ｃに示すように、ポップアップメニュー７７が表示される。（この画面７０ｃも第１の画面である。）このメニュー項目として、コンテンツのカテゴリの選択肢や、配信先選択用メニュー項目、サーバー選択メニュー項目、検索用メニュー項目等が表示される。画面７０ｃでは、ポップアップメニュー７７から配信先選択用メニュー項目が指示されたとき、さらに配信先の選択肢を提示するサブメニュー７８が表示された状態を示している。このサブメニュー７８から、上述した例における「Ｌｏｃａｌ」や「ＴＶ（Ｌｉｖｉｎｇ）」が選択できるようになっている。【００５０】
ユーザは、画面７０ａにおいて、操作部７５により希望するコンテンツ項目を選択して、再生指示を行うことができる。選択されたコンテンツ項目は反転表示、ハイライト表示等により強調して表示される。【００５１】
画面７０ａで選択されたコンテンツの再生が指示されたとき、配信先はデフォルト状態で自装置を示す「Ｌｏｃａｌ」となっている。そこで、デュアル端末はＤＭＰとして自装置のプレーヤを起動し、図７の右上の画面７０ｂ（第２の画面）に示すように変わる。また、デュアル端末は、通信ネットワークを介して自装置を配信先として、指定されたサーバ（ＤＭＳ）に当該コンテンツを配信するように指示する。【００５２】
画面７０ｂは、そのほぼ全領域に広がったコンテンツ再生画面を表示するコンテンツ再生領域７３と、この例では画面下辺に設けた操作領域７９とを有する。操作領域７９には、再生、停止、一時停止、早送り、巻き戻し、等の再生関連の操作を行う操作ボタン群を表示してある。操作領域７４の表示は操作部７５の対応キーに割り当てられた機能を示すガイド表示となっている。（但し、タッチパネルを備えている場合には、その表示キー自体が操作対象となりうる。）図の例では、再生の停止キーは示していないが、別途追加表示してもよい。また、追加しなくても操作部７５の所定のキーを利用して停止することができる。画面７０ｂの「Ｍｅｎｕ」が指示されると、画面７０ｃと同様のポップアップメニューが表示される。操作領域７９は、端末に特定のボタンが備えられていれば必ずしも必要ない。【００５３】
図７の左下の画面７０ｂは、画面７０ａにおいて、配信先が「Ｌｏｃａｌ」からＤＭＲとしての「ＴＶ（Ｌｉｖｉｎｇ）」に切り替えられた様子を示している。画面７０ａと同じコンテンツが選択されていても、この状態で再生指示が行われると、デュアル端末は、通信ネットワークを介してＴＶ（Ｌｉｖｉｎｇ）を配信先として当該コンテンツを配信するように、指定されたサーバ（ＤＭＳ）に指示する。また、デュアル端末の機能はＤＭＰからＤＭＣに切り替わり、ＤＭＣ画面７０ｂは、図７の右下の画面７０ｄ（第３の画面）に示したようにＤＭＣとしての画面へ変化する。図７のデュアル端末では、表示画面が狭いので、ＤＭＣの画面７０ｄでは、デュアル端末自身の表示画面をコンテンツ再生表示に用いないが、リスト領域７２の代わりにコンテンツ再生関連の操作を行う操作領域７６を表示している。操作領域７６には、再生関連の操作を行う操作ボタン群７６１が配置されている。この操作領域７６についても、実際の操作部に対するガイド表示として機能するものであってもよいし、タッチパネルとして直接的に指示できるものであってもよい。なお、図示の端末は、操作部７５の下側の下端部を下方にスライドさせることにより、背後に隠れたテンキーおよび制御キー（図示せず）が出現する型のものである。操作領域７６１は、端末に特定のボタンが備えられていれば必ずしも必要ない。【００５４】
図６で説明したように、コンテンツの再生中の配信先の切替は、図７のデュアル端末においても可能である。図８は、そのような動作を説明するためのものである。図８中、図７に示した要素と同様の要素には同じ参照番号を付して、重複した説明は省略する。図８の動作では、図７の動作と画面遷移が異なる。すなわち、画面７０ａから画面７０ｂへ移行してコンテンツを再生している最中に、「Ｍｅｎｕ」から配信先をＤＭＲ、ここではＴＶ（Ｌｉｖｉｎｇ）へ切り替えている。【００５５】
図９に、本実施の形態におけるＤＭＰ／ＤＭＣ１０の制御部が実行する処理例のフローチャートを示す。この処理は、中央制御部１０１がＲＯＭ１０２等の記憶部に記憶されているコンピュータプログラムを実行することにより実現される。【００５６】
デュアル端末のＤＭＰ／ＤＭＣ機能が起動されると、まずは、デフォルトの設定に従って、通信ネットワークに接続されているすべてのＤＭＳからコンテンツのリスト情報を収集し、それをコンテンツリスト一覧画面として表示する（Ｓ１１）。その後、コンテンツのカテゴリの選択（切替）があったら（Ｓ１２，Ｙｅｓ）、通信ネットワークに接続されているすべてのＤＭＳから指定されたカテゴリのコンテンツのみのリスト情報を改めて収集し（Ｓ１３）、ステップＳ１１へ戻る。なお、この際、サーバにアクセスせずに、既得のコンテンツリストについて指定されたカテゴリのコンテンツのみの情報を表示対象として抽出する構成であってもよい。コンテンツリストのソート指示があれば（Ｓ１４，Ｙｅｓ）、その指示に従ったソート処理を実行して（Ｓ１５）、ステップＳ１１へ戻る。サーバの指定変更があれば（Ｓ１６，Ｙｅｓ）、通信ネットワークを介して、当該指定されたサーバにのみコンテンツ情報を要求して受領し（Ｓ１７）、ステップＳ１１へ戻る。各種機能の設定（セットアップ）の指示があれば（Ｓ１８，Ｙｅｓ）、セットアップ処理を実行し（Ｓ１９）、ステップＳ１１へ戻る。【００５７】
コンテンツリストからコンテンツが選択され、その出力指示（再生指示）があれば（Ｓ２０，Ｙｅｓ）、現在選択されている配信先が自装置か否かをチェックする（Ｓ２１）。そうであれば、ＤＭＰとして上記のようなプレーヤを起動するとともにプレーヤ用のＧＵＩ設定を行う（Ｓ２３）。配信先が自装置でなければ（すなわち、ＤＭＲ等の他の装置であれば）、ＤＭＣとしてコントローラ用のＧＵＩ設定を行う（Ｓ２２）。【００５８】
ステップＳ２２，Ｓ２３に続いて、選択されたコンテンツを当該配信先へ配信するように、当該コンテンツを蓄積しているサーバへ指示する（Ｓ２４）。その後、配信先の変更があれば（Ｓ２５，Ｙｅｓ）、ステップＳ２１へ戻る。再生関連操作があれば（Ｓ２６，Ｙｅｓ）、それが再生終了であるとき（Ｓ２７，Ｙｅｓ）、当該サーバへその旨を指示して配信を停止させ（Ｓ２９）、ステップＳ１１へ戻る。再生終了以外の操作であれば、当該操作指示に対応した処理の実行を当該サーバへ指示し（Ｓ２８）、ステップＳ２５へ戻る。【００５９】
以上、本発明の好適な実施の形態について説明したが、上記で言及した以外にも種々の変形、変更を行うことが可能である。【００６０】
例えば、ユーザがコンテンツの配信先を直接的に変更する場合を説明したが、配信先以外の要素の変更によりその結果として配信先が変わる場合であってもよい。そのような一例としては、画質の選択により配信先が変わる場合が考えられる。
【図１】
2008117586.tif 000003
【図２】
2008117586.tif 000004
【図３】
2008117586.tif 000005
【図４】
2008117586.tif 000006
【図５】
2008117586.tif 000007
【図６】
2008117586.tif 000008
【図７】
2008117586.tif 000009
【図８】
2008117586.tif 000010
【図９】
2008117586.tif 000011
【手続補正書】
【提出日】平成21年10月1日(2009.10.1)
【手続補正１】
【補正対象書類名】特許請求の範囲
【補正対象項目名】全文
【補正方法】変更
【補正の内容】
【特許請求の範囲】
【請求項１】
複数のコンテンツを蓄積し、コンテンツを任意の配信先へ配信するコンテンツ配信機能を備えたコンテンツサーバと、前記コンテンツ配信機能による任意の配信先への配信および当該コンテンツの再生を制御するコンテンツコントローラ機能ならびに前記コンテンツサーバから配信されるコンテンツを前記コンテンツコントローラ機能の制御に基づいて再生するコンテンツ再生機能を備えたコンテンツ再生・制御装置と、前記コンテンツ再生機能を備えたコンテンツ再生装置とがそれぞれ通信ネットワークで相互に接続されたコンテンツ再生システムであって、
前記コンテンツ再生・制御装置は、
コンテンツを表示する表示部と、
ユーザによる指示操作を受け付ける操作部と、
前記通信ネットワークに接続するための通信部と、
各部を制御する制御部とを備え、
前記制御部は、前記コンテンツコントローラ機能として、前記操作部から、コンテンツの選択を受けるとともに当該コンテンツの配信先の指定を受け、この指定された配信先が自装置か前記コンテンツ再生機能を備えた装置かに応じて、前記表示部に対するＧＵＩ設定を切り替える
ことを特徴とするコンテンツ再生システム。
【請求項２】
前記制御部は、前記コンテンツコントローラ機能として、コンテンツの再生中にも配信先の変更を受け付け、その配信先の切替が自装置と他のコンテンツ再生装置との間の切替である場合に、ＧＵＩ設定を変更することを特徴とする請求項１記載のコンテンツ再生システム。
【請求項３】
複数のコンテンツを蓄積し、コンテンツを任意の配信先へ配信するコンテンツ配信機能を備えたコンテンツサーバと、前記コンテンツ配信機能による任意の配信先への配信および当該コンテンツの再生を制御するコンテンツコントローラ機能ならびに前記コンテンツサーバから配信されるコンテンツを前記コンテンツコントローラ機能の制御に基づいて再生するコンテンツ再生機能を備えたコンテンツ再生・制御装置と、前記コンテンツ再生機能を備えたコンテンツ再生装置とがそれぞれ通信ネットワークで相互に接続されたコンテンツ再生システムにおけるコンテンツ再生・制御装置であって、
コンテンツを表示する表示部と、
ユーザによる指示操作を受け付ける操作部と、
前記通信ネットワークに接続するための通信部と、
各部を制御する制御部とを備え、
前記制御部は、前記コンテンツコントローラ機能として、前記操作部から、コンテンツの選択を受けるとともに、当該コンテンツの配信先の指定を受け、この指定された配信先が自装置か前記コンテンツ再生機能を備えた装置かに応じて、前記表示部に対するＧＵＩ設定を切り替える
ことを特徴とするコンテンツ再生・制御装置。
【請求項４】
前記制御部は、前記コンテンツコントローラ機能として、コンテンツの再生中にも配信先の変更を受け付け、その配信先の切替が自装置と他のコンテンツ再生装置との間の切替である場合に、ＧＵＩ設定を変更することを特徴とする請求項３記載のコンテンツ再生・制御装置。
【請求項５】
コンテンツリストを一覧表示するリスト表示領域と、コンテンツリストに表示される対象となるコンテンツの種類を指定するためのメニュー項目およびコンテンツの配信先を指定するためのメニュー項目を含むメニュー領域とを有する第１の画面と、少なくとも再生されたコンテンツを表示するコンテンツ表示領域を有する第２の画面と、少なくともコンテンツの再生に関連した操作要素を表示する操作表示領域を有する第３の画面とを選択的に生成する手段を備え、
前記制御部は、前記コンテンツコントローラ機能として、
前記第１の画面において選択されたコンテンツの再生が指示されたとき、配信先として自装置が指定されていれば、前記表示部を前記第１の画面から第２の画面に切り替え、配信先として他のコンテンツ再生装置が指定されていれば、前記表示部を前記第１の画面から第３の画面に切り替えることを特徴とする請求項３または４記載のコンテンツ再生・制御装置。
【請求項６】
前記第３の画面はコンテンツリストを表示するリスト表示領域を含み、再生中のコンテンツ項目に、当該コンテンツが再生中である旨を表示する請求項５記載のコンテンツ再生・制御装置。
【請求項７】
前記第２および第３の画面の少なくとも一方はコンテンツの配信先を切り替えるメニュー項目を含む請求項５または６記載のコンテンツ再生・制御装置。
【請求項８】
ＤＬＮＡ規格のＤＭＰとＤＭＣの双方の機能を備えたコンテンツ再生・制御装置であって、
所定の条件に応じて何れの機能を選択すべきかを判定し、
選択された機能に応じて予め用意されたＧＵＩ画面を選択的に提供するとともにその画面遷移を制御することを特徴とするコンテンツ再生・制御装置。
【請求項９】
通信ネットワークに接続されている少なくとも一つのサーバからコンテンツのリスト情報を収集する機能と、
収集したリスト情報の一覧を表示部に表示させる機能と、
前記一覧からコンテンツの指定を受ける機能と、
指定されたコンテンツの配信先の指定を受ける機能と、
指定された配信先が自装置かコンテンツ再生機能を備えた装置かに応じて、前記表示部に対するＧＵＩ設定を切り替える機能と
をコンテンツ再生・制御装置に実行させることを特徴とするコンピュータプログラム。
【請求項１０】
通信ネットワークに接続されている少なくとも一つのサーバからコンテンツのリスト情報を収集する機能と、
収集したリスト情報の一覧を表示部に表示させる機能と、
前記一覧からコンテンツの指定を受ける機能と、
指定されたコンテンツの配信先の指定を受ける機能と、
指定された配信先が自装置かコンテンツ再生機能を備えた装置かに応じて、前記表示部に対するＧＵＩ設定を切り替える機能と
をコンテンツ再生・制御装置に実行させることを特徴とするコンピュータプログラムを読み取り可能に記録した記録媒体。
【手続補正２】
【補正対象書類名】明細書
【補正対象項目名】００２１
【補正方法】変更
【補正の内容】
【００２１】
１０…デュアル端末、２５…通信ネットワーク、５０ａ，５０ｂ，５０ｃ，５０ｄ…画面、５１…メニュー領域、５２…リスト領域、５３…バー表示領域、５４…コンテンツ再生領域、５５…操作領域、５７…操作領域、５９…再生中表示、７０ａ，７０ｂ，７０ｃ，７０ｄ…画面、７２…リスト領域、７３…コンテンツ再生領域、７４…操作ガイド部、７５…操作部、７６…操作領域、７７…ポップアップメニュー、７８…サブメニュー、７９…操作領域、１０１…中央制御部、１０２ａ…各種プログラム、１０４…フラッシュメモリ、１０５…アンテナ、１０６…電話通信部、１０７…ディスプレイドライバ、１０９…音声処理部、１１１…マイク、１１２…スピーカ、１１３…操作部、１１４…アンテナ、１１５…近距離無線通信部、２０１…中央制御部、２０６…ネットワークインタフェース、２０８…外部記憶装置、２１１…録画再生部、２２０…バス、３０１…中央制御部、３０４…画像処理部、３０５…表示部、３０６…ネットワークインタフェース、３０７…音声処理部、３０８…スピーカ、３２０…バス、５１１，５１２，５１３，５１４，５１５…メニュー項目、５２０…コンテンツ項目、５２１…アイコン、５２２…コンテンツタイトル、５５１…メニュー項目、５５３…終了ボタン、５７１…操作ボタン群、５７２…メニュー項目、７２２…各コンテンツ項目、７５１，７５２，７５３…キー
【手続補正３】
【補正対象書類名】明細書
【補正対象項目名】００５３
【補正方法】変更
【補正の内容】
【００５３】
図７の左下の画面７０ｃは、画面７０ａにおいて、配信先が「Ｌｏｃａｌ」からＤＭＲとしての「ＴＶ（Ｌｉｖｉｎｇ）」に切り替えられた様子を示している。画面７０ａと同じコンテンツが選択されていても、この状態で再生指示が行われると、デュアル端末は、通信ネットワークを介してＴＶ（Ｌｉｖｉｎｇ）を配信先として当該コンテンツを配信するように、指定されたサーバ（ＤＭＳ）に指示する。また、デュアル端末の機能はＤＭＰからＤＭＣに切り替わり、ＤＭＰ画面７０ｂは、図７の右下の画面７０ｄ（第３の画面）に示したようにＤＭＣとしての画面へ変化する。図７のデュアル端末では、表示画面が狭いので、ＤＭＣの画面７０ｄでは、デュアル端末自身の表示画面をコンテンツ再生表示に用いないが、リスト領域７２の代わりにコンテンツ再生関連の操作を行う操作領域７６を表示している。操作領域７６には、再生関連の操作を行う操作ボタン群７６１が配置されている。この操作領域７６についても、実際の操作部に対するガイド表示として機能するものであってもよいし、タッチパネルとして直接的に指示できるものであってもよい。なお、図示の端末は、操作部７５の下側の下端部を下方にスライドさせることにより、背後に隠れたテンキーおよび制御キー（図示せず）が出現する型のものである。操作領域７６１は、端末に特定のボタンが備えられていれば必ずしも必要ない。
【手続補正４】
【補正対象書類名】明細書
【補正対象項目名】００５６
【補正方法】変更
【補正の内容】
【００５６】
デュアル端末のＤＭＰ／ＤＭＣ機能が起動されると、まずは、デフォルトの設定に従って、通信ネットワークに接続されているすべてのＤＭＳからコンテンツのリスト情報を収集し、それをコンテンツリスト一覧画面として表示する（Ｓ１１）。その後、コンテンツのカテゴリの選択（切替）があったら（Ｓ１２，Ｙｅｓ）、通信ネットワークに接続されているすべてのＤＭＳから指定されたカテゴリのコンテンツのみのリスト情報を改めて収集し（Ｓ１３）、ステップＳ１１へ戻る。なお、この際、サーバにアクセスせずに、既得のコンテンツリストについて指定されたカテゴリのコンテンツのみの情報を表示対象として抽出する構成であってもよい。コンテンツリストのソート指示があれば（Ｓ１４，Ｙｅｓ）、その指示に従ったソート処理を実行して（Ｓ１５）、ステップＳ１１へ戻る。サーバの指定変更があれば（Ｓ１６，Ｙｅｓ）、通信ネットワークを介して、当該指定されたサーバにのみコンテンツ情報を要求して受領し（Ｓ１７）、ステップＳ１１へ戻る。各種機能の設定（セットアップ）の指示があれば（Ｓ１８，Ｙｅｓ）、セットアップ処理を実行し（Ｓ１９）、ステップＳ２０へ戻る。
【国際調査報告】
2008117586.tif 000012
2008117586.tif 000013